(57)【要約】【課題】アクティブマトリクス基板の走査線もしくはデータ線を駆動する半導体素子に、走査線もしくはデータ線の数よりも少ない出力数の半導体素子を用いて画素を駆動する電気泳動表示パネルの駆動方法、及び電気泳動表示パネルを提供する。【解決手段】電気泳動表示パネルは、素子基板１２と対向基板１３との間に、電気泳動表示層１４が配置されている。対向基板１３には、所定の複数の画素２６に対応する個別対向電極Ｐがマトリクス形状に複数区画形成されている。個別対向電極Ｐには、電極選択線Ｌｚ１１〜Ｌｚｑｒが接続されていて、対向電極選択回路２５から電極選択信号ＣＯＭ１１〜ＣＯＭｑｒが供給される。電極選択信号ＣＯＭ１１〜ＣＯＭｑｒは、いずれか１つの個別対向電極Ｐの電位をＬレベルとして表示動作を可能とさせ、その他の個別対向電極Ｐを高インピーダンスとして表示動作をさせないようにする。【選択図】図６
2009169212.tif 000002
【特許請求の範囲】
【請求項１】
素子基板と、対向基板と、前記素子基板と前記対向基板の間に扶持する電気泳動表示層
と、
を備えた電気泳動表示パネルであって、
前記素子基板は、
複数のデータ線からなる第１のデータ線組と、
前記第１のデータ線組の前記複数のデータ線の各々が分岐した複数のデータ線からな
る第２のデータ線組と、
複数の走査線と、複数の画素電極と、
を含み、
前記複数の画素電極は、複数の前記第２のデータ線組の各々と前記複数の走査線の交差
する位置に設けられており、
前記対向基板は、複数の共通電極を有し、
前記複数の共通電極の各々は、複数の前記第２のデータ線組のいずれかに対応する前記
複数の画素電極に対して対向配置されている、
電気泳動表示パネル。
【請求項２】
請求項１に記載の電気泳動表示パネルにおいて、
前記複数の共通電極の各々は、ひとつの前記第２のデータ線組に対応する前記複数の画
素電極に対して、ひとつが対向配置されている、電気泳動表示パネル。
【請求項３】
請求項１に記載の電気泳動表示パネルにおいて、
前記複数の共通電極は、ひとつの前記第２のデータ線組に対応する前記複数の画素電極
に対して、前記第２のデータ線組のデータ線の配設方向と平行に複数個が対向配置されて
いる、電気泳動表示パネル。
【請求項４】
請求項１乃至３のいずれかひとつに記載の電気泳動表示パネルにおいて、
前記複数の走査線が、
複数の信号線からなる、第１の走査線組と、
前記第１の走査線組の前記複数の信号線の各々が分岐した複数の信号線からなる第２の
走査線組と、からなり、
前記第２のデータ線組と交差するのは前記第２の走査線組であり、
前記複数の共通電極の各々は、複数の前記第２のデータ線組のいずれかと複数の前記第
２の走査線組のいずれかと、が交差する位置に対応する前記複数の画素電極に対して対向
配置されている、
電気泳動表示パネル。
【請求項５】
請求項１または請求項４のいずれかに記載の電気泳動表示パネルにおいて、
前記複数の画素電極の各々は、有機トランジスタにて電圧が供給されることを特徴とす
る電気泳動表示パネル。
【請求項６】
素子基板と、対向基板と、前記素子基板と前記対向基板の間に扶持する電気泳動表示層
と、
を備えた電気泳動表示パネルの駆動方法であって、
前記電気泳動表示パネルは、
前記素子基板は、
複数のデータ線からなる第１のデータ線組と、
前記第１のデータ線組の前記複数のデータ線の各々が分岐した複数のデータ線からな
る第２のデータ線組と、
複数の走査線と、複数の画素電極と、
を含み、
前記複数の画素電極は、複数の前記第２のデータ線組の各々と前記複数の走査線の交差
する位置に設けられており、
前記対向基板は、複数の共通電極を有し、
前記複数の共通電極の各々は、いずれかの前記第２のデータ線組に対応する前記複数の
画素電極に対して対向配置されており、
前記複数の走査線のいずれかがアクティブ状態に駆動されている期間に、前記第１のデ
ータ線組に駆動されるデータ信号が前記第２のデータ線組の個数分更新され、
前記更新されたデータ信号に対応するいずれかの前記第２のデータ線組に対応した位置
に対向配置されたいずれかの前記複数の共通電極に、前記データの更新タイミングに合わ
せて、表示の変更に必要な電圧を供給する、
電気泳動表示パネルの駆動方法。
【請求項７】
請求項６に記載の電気泳動表示パネルの駆動方法において、
前記複数の共通電極の各々は、ひとつの前記第２のデータ線組に対応する前記複数の画
素電極に対して、ひとつが対向配置されている、電気泳動表示パネルの駆動方法。
【請求項８】
請求項６に記載の電気泳動表示パネルの駆動方法において、
前記複数の共通電極は、ひとつの前記第２のデータ線組に対応する前記複数の画素電極
に対して、前記第２のデータ線組のデータ線の配設方向と平行に複数個が対向配置されて
おり、
前記第２のデータ線組の個数分の更新において、配置された前記複数の共通電極に対応
するいずれかのデータ線ごとに更新が行われ、当該更新のタイミングに合わせて、対応す
る前記複数の共通電極のいずれか表示変更に必要な電圧を供給する、電気泳動表示パネル
の駆動方法。
【請求項９】
請求項６乃至８のいずれかひとつに記載の電気泳動表示パネルの駆動方法において、
前記複数の走査線が、
複数の信号線からなる、第１の走査線組と、
前記第１の走査線組の前記複数の信号線の各々が分岐した複数の信号線からなる、第２
の走査線組と、からなり、
前記第２のデータ線組と交差するのは前記第２の走査線組であり、
前記複数の共通電極の各々は、複数の前記第２のデータ線組のいずれかと複数の前記第
２の走査線組のいずれかと、が交差する位置に対応する前記複数の画素電極に対して対向
配置され、
前記第２のデータ線組に駆動されるデータ信号の表示位置に合わせて、前記複数の信号
線のいずれかを駆動し、前記複数の画素電極のいずれかに表示変更に必要な電圧を供給す
る、電気泳動表示パネルの駆動方法。
【請求項１０】
請求項９に記載の電気泳動表示パネルの駆動方法において、
前記第２の走査線組の配設方向と平行な方向に隣り合う前記複数の共通電極のいずれか
ふたつに，同時に前記表示変更に必要な電圧を一定期間供給する、電気泳動表示パネルの
駆動方法。
【発明の詳細な説明】
【技術分野】
【０００１】
本発明は、電気泳動表示パネルの駆動方法、及び電気泳動表示パネルに関する。
【背景技術】
【０００２】
近年、電子ペーパや電子ポスターなどのフレキシブル性を要求される機器に用いられる
表示デバイスとして、フレキシブルな構造の非発光型の表示デバイスが用いられるように
なってきている。このような非発光型の表示デバイスの一つとして、電気泳動現象を利用
した電気泳動表示装置がある。ここで、電気泳動現象とは、液体中（分散媒）に微粒子（
電気泳動粒子）を分散させた分散系に、電界を印加したときに微粒子がクーロン力により
泳動する現象である。この電気泳動表示装置の駆動は、電気泳動粒子を挟んで対向する電
極間の電位を薄膜トランジスタの駆動によって変化させ、該電極間に電界を生じさせるこ
とにより行なわれる。
【０００３】
そして、フレキシブル性を有する電気泳動表示装置には、薄膜トランジスタとしてもフ
レキシブル性を有する有機薄膜トランジスタ（有機ＴＦＴ）が用いられることが多い。す
なわち、有機ＴＦＴを画素用トランジスタに用いた、例えばアクティブマトリックス形式
の回路によって、電気泳動表示装置が構成されることとなる。
【０００４】
そこで、電気泳動表示装置を、アクティブマトリクス形式の回路で構成する方法が提案
されている（特許文献１）。特許文献１は、素子基板と対向基板との間に電気泳動粒子を
分散させた分散系を有する電気泳動表示パネルにおいて、素子基板には、画素電極、走査
線、データ線、及び画素用ＴＦＴが形成され、対向基板には、共通電極が形成されている
。また、素子基板に画素用ＴＦＴを形成する工程と共通の工程において、走査線駆動回路
及びデータ線駆動回路を構成するＴＦＴも形成することにより製造コストの低減を図って
いる。
【特許文献１】特開２００２−１１６７３３
【発明の開示】
【発明が解決しようとする課題】
【０００５】
しかしながら、特許文献１のアクティブマトリクス形式の回路は、従来の液晶表示装置
などと同様の構成をしており、液晶などに比較して応答速度が遅い電気泳動粒子の駆動回
路としては必要以上に高価となっていた。
【０００６】
そこで、電気泳動表示装置を構成する基板を安価に形成する方法も提案されている。そ
の方法の場合、画素用トランジスタとし有機ＴＦＴを用いたアクティブマトリックス形式
の回路をインクジェットプリンタで描画して形成する（インクジェットプロセス）。イン
クジェットプロセスによる基板への回路形成は、成膜やフォトリソグラフィによるパター
ン形成等による基板への回路形成に比較して、製造コストが廉価であり、アクティブマト
リックス形式の回路を安価に製造することができる。
【０００７】
しかしながら、有機ＴＦＴの動作速度は、シリコン等を用いた従来からの半導体素子と
比較して低速である。そのため、比較的高速に動作する必要のある、アクティブマトリッ
クス回路を駆動して画素を駆動する回路、例えば走査線駆動回路やデータ線駆動回路等を
構成する半導体ドライバーモジュールには、従来からの半導体素子からなる半導体ドライ
バーモジュールを用いる必要がある。すなわち、インクジェットプロセスによって有機Ｔ
ＦＴを有するアクティブマトリクス形式の回路を安価に形成しても、従来からの半導体ド
ライバーモジュールを必要とすることから、電気泳動表示パネルや電気泳動表示装置とし
ての製造コストを低減する際の問題となっていた。
【０００８】
本発明は、上記問題を解決するためになされたものであり、その目的は、アクティブマ
トリクス基板の走査線もしくはデータ線を駆動する半導体素子に、走査線もしくはデータ
線の数よりも少ない出力数の半導体素子を用いて画素を駆動する電気泳動表示パネルの駆
動方法、及び電気泳動表示パネルを提供することにある。
【課題を解決するための手段】
【０００９】
本発明の電気泳動表示パネルは、素子基板と、対向基板と、前記素子基板と前記対向基
板の間に扶持する電気泳動表示層と、を備えた電気泳動表示パネルであって、前記素子基
板は、複数のデータ線からなる第１のデータ線組と、前記第１のデータ線組の前記複数の
データ線の各々が分岐した複数のデータ線からなる第２のデータ線組と、複数の走査線と
、複数の画素電極と、を含み、前記複数の画素電極は、複数の前記第２のデータ線組の各
々と前記複数の走査線の交差する位置に設けられており、前記対向基板は、複数の共通電
極を有し、前記複数の共通電極の各々は、複数の前記第２のデータ線組のいずれかに対応
する前記複数の画素電極に対して対向配置されていることを要旨とする。
【００１０】
このような構成によれば、対向基板に複数設けられた共通電極のそれぞれが対向する複
数の画素電極に対応するようになることから、所定の電圧の印加によりアクティブにされ
た共通電極とそれに対向する複数の画素電極との間のみに第２のデータ線組から与えられ
たデータ信号に基づく電界を生じさせることができる。すなわち、複数の共通電極のうち
からアクティブにされた共通電極と、その共通電極に対向する画素電極との間のみに電気
泳動粒子による表示動作を行なわせることができる。この場合、画素電極を駆動させるデ
ータ信号は、第１のデータ線組のデータ線の数だけしか与えることができないので、アク
ティブにされる共通電極とデータ信号付与との同期等を制御する必要はあるものの、デー
タ信号をドライブする電子回路の規模が小さくなり電気泳動表示パネルの製造コストが抑
えられる。このような電気泳動表示パネルであっても、データ信号の更新のタイミングに
併せて複数ある共通電極のアクティブを切換えることにより広い範囲のパネルに対する表
示動作を行うことができることはもちろん、電気泳動粒子の動作に比べて素早い電子回路
によるデータ信号の切換によれば広い範囲のパネルに対しての表示動作もスムーズに行な
うこともできる。
【００１１】
また本発明の電気泳動表示パネルは、上記記載の電気泳動表示パネルにおいて、前記複
数の共通電極の各々は、ひとつの前記第２のデータ線組に対応する前記複数の画素電極に
対して、ひとつが対向配置されていることを要旨とする。
【００１２】
このような構成によれば、対向基板に複数設けられた共通電極のそれぞれと、第２のデ
ータ線組により駆動される複数の画素電極が一対一の態様にて対応するようになる。これ
により、表示動作が第２のデータ線組に与えられるデータ信号の更新のタイミングに同期
させて同第２のデータ線組に対応しているひとつの共通電極のみをアクティブにすれば行
なえることとなり、データ信号を付与する制御を容易にすることができ、このような電気
泳動表示パネルの実施を容易にすることができる。
【００１３】
また本発明の電気泳動表示パネルは、上記記載の電気泳動表示パネルにおいて、前記複
数の共通電極は、ひとつの前記第２のデータ線組に対応する前記複数の画素電極に対して
、前記第２のデータ線組のデータ線の配設方向と平行に複数個が対向配置されていること
を要旨とする。
【００１４】
このような構成によれば、共通電極を細かく分割する事ができ、表示に必要なデータ信
号を少なくする、すなわち、データ信号をドライブする電子回路の規模を小さくする事が
できて、電気泳動表示パネルの製造を容易にするとともにコストのさらなる抑制ができる
。このときにも、データ信号の更新のタイミングに同期させてアクティブにする共通電極
の切換を行なうことで広い範囲のパネルに対する表示動作を行うことができることはもち
ろん、電気泳動粒子の動作に比べて素早い電子回路によるデータ信号の切換によれば広い
範囲のパネルに対しての表示動作もスムーズに行なうこともできる。
【００１５】
また本発明の電気泳動表示パネルは、上記記載の電気泳動表示パネルにおいて、前記複
数の走査線が、複数の信号線からなる、第１の走査線組と、前記第１の走査線組の前記複
数の信号線の各々が分岐した複数の信号線からなる第２の走査線組と、からなり、前記第
２のデータ線組と交差するのは前記第２の走査線組であり、前記複数の共通電極の各々は
、複数の前記第２のデータ線組のいずれかと複数の前記第２の走査線組のいずれかと、が
交差する位置に対応する前記複数の画素電極に対して対向配置されていることを要旨とす
る。
【００１６】
このような構成によれば、共通電極を走査線に対しても細かく分割する事により、走査
線をドライブする電子回路の規模を第２の走査線組を構成する数の信号線をドライブする
ことができるサイズにまで小型化する事がでる。走査線をドライブする電子回路の小型化
により、電気泳動表示パネルの製造を容易にするとともにコストのさらなる抑制をするこ
とができる。このときにも、データ信号の更新のタイミングに同期させてアクティブにす
る共通電極の切換を行なうことで広い範囲のパネルに対しての表示動作も行うことができ
ることはもちろん、電気泳動粒子の動作に比べて素早い電子回路によるデータ信号の切換
によれば広い範囲のパネルに対しての表示動作もスムーズに行なうこともできる。
【００１７】
また本発明の電気泳動表示パネルは、上記記載の電気泳動表示パネルにおいて、前記複
数の画素電極の各々は、有機トランジスタにて電圧が供給されることを要旨とする。
このような構成によれば、画素電極は有機トランジスタにて構成される。従って、画素
電極を含めた素子基板は、インクジェットプリンタで回路を描画して形成（インクジェッ
トプロセス）することができる。インクジェットプロセスによれば、回路の形成が、従来
の成膜やフォトリソグラフィによるパターン形成等による基板への回路形成に比較して、
安価にできる。その結果、より価格の安い液晶泳動表示パネルを提供することができる。
【００１８】
また、有機トランジスタは可撓性を有しているので、このような電気泳動表示パネルは
、電子ペーパや、電子ポスター、電子ブックなどにも用いることができる。
一方本発明の電気泳動表示パネルの駆動方法は、素子基板と、対向基板と、前記素子基
板と前記対向基板の間に扶持する電気泳動表示層と、を備えた電気泳動表示パネルの駆動
方法であって、前記電気泳動表示パネルは、前記素子基板は、複数のデータ線からなる、
第１のデータ線組と、前記第１のデータ線組の前記複数のデータ線の各々が分岐した複数
のデータ線からなる第２のデータ線組と、複数の走査線と、複数の画素電極と、を含み、
前記複数の画素電極は、複数の前記第２のデータ線組の各々と前記複数の走査線の交差す
る位置に設けられており、前記対向基板は、複数の共通電極を有し、前記複数の共通電極
の各々は、いずれかの前記第２のデータ線組に対応する前記複数の画素電極に対して対向
配置されており、前記複数の走査線のいずれかがアクティブ状態に駆動されている期間に
、前記第１のデータ線組に駆動されるデータ信号が前記第２のデータ線組の個数分更新さ
れ、前記更新されたデータ信号に対応するいずれかの前記第２のデータ線組に対応した位
置に対向配置されたいずれかの前記複数の共通電極に、前記データの更新タイミングに合
わせて、表示の変更に必要な電圧を供給することを要旨とする。
【００１９】
このような方法によれば、所定の電圧の供給によりアクティブにされた共通電極と、そ
の共通電極に対向する画素電極との間のみに表示動作をする電気泳動表示パネルにおいて
、第１のデータ線組に駆動される各第２のデータ線組に対するデータ信号の更新と、共通
電極への電圧の供給との同期により共通電極の範囲に表示動作を行なうことができる。こ
のことにより、データ信号をドライブする電子回路の規模が小さい電気泳動表示パネルで
あっても、データ信号の更新タイミングに同期させて共通電極を順に切換えることにより
広い範囲のパネルに対する表示動作を行うことができることができる。
【００２０】
また本発明の電気泳動表示パネルの駆動方法は、上記記載の電気泳動表示パネルの駆動
方法において、前記複数の共通電極の各々は、ひとつの前記第２のデータ線組に対応する
前記複数の画素電極に対して、ひとつが対向配置されていることを要旨とする。
【００２１】
このような方法によれば、対向基板に複数設けられた共通電極のそれぞれと、第２のデ
ータ線組により駆動される複数の画素電極が一対一の態様にて対応するようになる。これ
により、表示動作が第２のデータ線組に与えられるデータ信号の更新のタイミングに同期
させて、同第２のデータ線組に対応しているひとつの共通電極のみをアクティブにすれば
行なえることとなり、データ信号を付与する制御を容易にすることができ、このような電
気泳動表示パネルの実施を容易にすることができる。
【００２２】
また本発明の電気泳動表示パネルの駆動方法は、上記記載の電気泳動表示パネルの駆動
方法において、前記複数の共通電極は、ひとつの前記第２のデータ線組に対応する前記複
数の画素電極に対して、前記第２のデータ線組のデータ線の配設方向と平行に複数個が対
向配置されており、前記第２のデータ線組の個数分の更新において、配置された前記複数
の共通電極に対応するいずれかのデータ線ごとに更新が行われ、当該更新のタイミングに
合わせて、対応する前記複数の共通電極のいずれか表示変更に必要な電圧を供給すること
を要旨とする。
【００２３】
このような方法によれば、共通電極をさらに細かく分割した電気泳動表示パネルに対し
ても好適な表示動作を行うことができる。
また本発明の電気泳動表示パネルの駆動方法は、上記記載の電気泳動表示パネルの駆動
方法において、前記複数の走査線が、複数の信号線からなる、第１の走査線組と、前記第
１の走査線組の前記複数の信号線の各々が分岐した複数の信号線からなる、第２の走査線
組と、からなり、前記第２のデータ線組と交差するのは前記第２の走査線組であり、前記
複数の共通電極の各々は、複数の前記第２のデータ線組のいずれかと複数の前記第２の走
査線組のいずれかと、が交差する位置に対応する前記複数の画素電極に対して対向配置さ
れ、前記第２のデータ線組に駆動されるデータ信号の表示位置に合わせて、前記複数の信
号線のいずれかを駆動し、前記複数の画素電極のいずれかに表示変更に必要な電圧を供給
することを要旨とする。
【００２４】
このような方法によれば、走査線をドライブする電子回路の規模を第２の走査線組を構
成する数の信号線をドライブすることができるサイズにまで小型化させた電気泳動表示パ
ネルであっても好適に駆動することができる。
【００２５】
また本発明の電気泳動表示パネルの駆動方法は、上記記載の電気泳動表示パネルの駆動
方法において、前記第２の走査線組の配設方向と平行な方向に隣り合う前記複数の共通電
極のいずれかふたつに，同時に前記表示変更に必要な電圧を一定期間供給することを要旨
とする。
【００２６】
このような方法によれば、第２の走査線組により走査される複数の画素電極とその複数
の画素電極に対向する共通電極との配置が走査線組の配設方向と平行な方向にずれていて
も、データ信号に基づいて駆動される画素電極と対向する共通電極には必要な電圧が供給
され、駆動された画素電極による表示動作が行なわれるようになる。
【発明を実施するための最良の形態】
【００２７】
以下、本発明にかかる電気泳動表示パネルの駆動方法及び電気泳動表示パネルを具体化
した第１の実施形態を図面に従って説明する。
図１は、電気泳動表示パネル（表示パネル）１１の平面構造を示す平面図である。
【００２８】
図１に示すように、表示パネル１１は、素子基板１２と対向基板１３を有し、その素子
基板１２と対向基板１３との間には、電気泳動表示層１４が配置されている。
図２に示すように、素子基板１２は、可撓性を有する背面基板１５を備え、その一面（
図２における上面）には、素子形成層１６が形成されている。背面基板１５は、可撓性、
弾性等に優れた熱可塑性樹脂、熱硬化性樹脂材料、例えば、ポリエチレンテレフタレート
、ポリカーボネート、ポリイミド、ポリエチレン等により形成されている。また、素子形
成層１６には、複数の導電層、絶縁層が形成されており、例えば、有機トランジスタＴｒ
（図３参照）、画素電極、各種の配線が形成されている。なお、本実施形態では、ｐ型チ
ャンネルの有機トランジスタＴｒについて説明するが、有機トランジスタの構成は、ｎ型
チャンネルやその他の形式の有機トランジスタであってもよい。
【００２９】
有機トランジスタＴｒは、図３に示すように、背面基板１５の上面に、素子形成層１６
を形成する絶縁層、電極、有機半導体層がそれぞれ所定の順番で積層されるようにして、
電界効果型トランジスタとして形成されている。電極は、導電性のある材料、例えば、金
、銅もしくはアルミニウム等の金属、インジウムスズ酸化物等、又は、ポリアニリン等の
電子導電性高分子等により形成されている。一方、絶縁層は絶縁性のある材料、例えば、
ポリメチルメタクリレート、ポリビニルフェノール、ポリイミド、ポリスチレン、ポリビ
ニルアルコール、ポリビニルアセテート等のうちの１種の材料、又はこれらを２種以上組
み合わせた材料から形成されている。また、有機半導体層は、例えば、ペンタセン、アリ
ールアミン、Ｐ３ＨＴ、ＰＱＴ、Ｆ８Ｔ２、又は、ＤＰｈ−ＢＴＢＴ等により形成されて
いる。
【００３０】
対向基板１３は、これも可撓性を有する透明基板１７を備え、その一面（図２における
下面）には、複数の共通電極としての個別対向電極Ｐがマトリクス形状に区画形成されて
いるとともに、個別対向電極Ｐは所定の複数の画素に対応するようになっている。透明基
板１７は、透明性、可撓性等に優れた熱可塑性樹脂又は熱硬化性樹脂材料、例えば、ポリ
エチレンテレフタレート、ポリカーボネート、ポリイミド、ポリエチレン等により形成さ
れている。個別対向電極Ｐは、透明性を有する導電性の材料、例えば、インジウムスズ酸
化物等、もしくはポリアニリン等の電子導電性高分子等により形成されている。
【００３１】
電気泳動表示層１４は、バインダ１９によって一体化された多数のマイクロカプセル２
０によって構成されている。マイクロカプセル２０には、図３に示すように、分散系とし
ての電気泳動分散媒３４と、電気泳動粒子３５とが封入されている。電気泳動粒子３５は
、正あるいは負に帯電した白色粒子３５ｗ、及び、その白色粒子３５ｗとは異なる極性に
帯電した黒色粒子３５ｂとからなり、それぞれマイクロカプセル２０に印加された電界の
向きに応じて電気泳動分散媒３４中を泳動する。
【００３２】
マイクロカプセル２０は、例えば、アラビアゴム・ゼラチン系化合物、ウレタン系化合
物等により形成されている。電気泳動分散媒３４は、例えば、水、メタノール、エタノー
ル等からなる。また、電気泳動粒子３５は、例えば、アニリンブラック、カーボンブラッ
ク、二酸化チタン等により形成されている。
【００３３】
また、素子基板１２は、図４に示すように、ｎ本の横方向略全幅に渡る信号線を構成す
る走査線Ｌｙ１，Ｌｙ２，…，Ｌｙｎ（ｎは自然数）が配列形成されているとともに、ｍ
本の縦方向略全幅に渡るデータ線Ｌｘ１，Ｌｘ２，…，Ｌｘｍ（ｍは自然数）が配列形成
されている。
【００３４】
各走査線Ｌｙ１〜Ｌｙｎと各データ線Ｌｘ１〜Ｌｘｍの交差するそれぞれの位置には、
それぞれ対応する走査線Ｌｙ１〜Ｌｙｎ及びデータ線Ｌｘ１〜Ｌｘｍに接続された画素２
６が配置されている。すなわち、画素２６は、素子基板１２上にマトリックス形状に複数
配置されるようになっている。そして、画素２６には、それぞれ有機トランジスタＴｒな
どの制御素子や、透明導電膜などからなる光透過性を有する画素電極２７（図５参照）が
備えられている。
【００３５】
図５は、「ｍ番目」のデータ線Ｌｘｍと「ｎ番目」の走査線Ｌｙｎとの交差部に対応し
て形成された画素２６の等価回路である。画素２６は、１個の有機トランジスタＴｒと、
画素電極２７に対応した広さの電気泳動表示層１４と、対応する個別対向電極Ｐとから構
成されている。
【００３６】
有機トランジスタＴｒは、そのゲート電極４６が「ｎ番目」の走査線Ｌｙｎに接続され
ているとともに、そのソース電極４２が「ｍ番目」のデータ線Ｌｘｍに接続されている。
また、有機トランジスタＴｒは、そのドレイン電極４３が画素電極２７に接続されている
。
【００３７】
そして、画素電極２７に対向する位置には、電気泳動表示層１４を介して個別対向電極
Ｐが配置されている。
個別対向電極Ｐは、図６に示すように、対向基板１３の電気泳動表示層１４に対応する
配置される位置に複数が区画形成されているとともに、複数の画素２６に対応するように
画素２６よりも大きく形成されている。つまり、複数の画素電極２７が、それぞれ相対向
する位置の対向基板１３に形成されている１つの個別対向電極Ｐを共有している。そして
、本実施形態では、上下方向にｑ個（ｑは自然数）、横方向にｒ個（ｒは自然数）、計「
ｑ×ｒ」の個別対向電極Ｐ（Ｐ１１〜Ｐｑｒ）マトリクス状に形成されている。
【００３８】
そして、各個別対向電極Ｐ（Ｐ１１〜Ｐｑｒ）には、それぞれ個別の電極選択線Ｌｚ１
１〜Ｌｚｑｒが電気的に接続されている。ちなみに、最も左側の列に配列された個別対向
電極Ｐ１１〜Ｐｑ１には、電極選択線Ｌｚ１１〜Ｌｚｑ１が順番に接続される。最も右側
の列に配列された個別対向電極Ｐ１ｒ〜Ｐｑｒには、電極選択線Ｌｚ１ｒ〜Ｌｚｑｒが順
番に接続される。
【００３９】
なお、本実施形態では、図７に示すように、１つの個別対向電極Ｐに対する画素電極２
７（画素２６）の数は、上下方向に５個、横方向に５個、計２５（＝５×５）個としてい
る。
【００４０】
また、図１に示すように、素子基板１２の上面左側には、外部接続端子２１を通じて授
受される外部信号等に基づいて表示パネル１１に画像等を表示するための所定の信号を生
成する制御回路２２、走査線駆動回路２３、走査線分配回路２３Ｓ及び対向電極選択回路
２５が設けられている。さらに、素子基板１２の上面上側にも、外部信号等に基づいて所
定の信号を生成する、データ線駆動回路２４が設けられている。
【００４１】
次に、表示パネル１１の電気的構成ついて図４〜図６に従って説明する。
制御回路２２は、図４及び図６に示すように、走査線駆動回路２３、データ線駆動回路
２４及び対向電極選択回路２５とそれぞれ電気的に接続されている。
【００４２】
走査線駆動回路２３は、その出力が走査線分配回路２３Ｓと第１の走査線組を構成する
複数の信号線を介して電気的に接続されていて、走査線分配回路２３Ｓに分配走査信号数
としてのｉ個（ｉは自然数であってｎより小さい）の分配走査信号ＳＯ１〜ＳＯｉを出力
するようになっている。
【００４３】
本実施形態では、説明の便宜上、図７に示すように、ｉ個を５とし、その分配走査信号
ＳＯ１〜ＳＯ５について説明する。５個の分配走査信号ＳＯ１〜ＳＯ５に伴い、ｎ本の走
査線Ｌｙ１〜Ｌｙｎを、説明の便宜上、２５本の走査線Ｌｙ１〜Ｌｙ２５として説明する
。
【００４４】
５個の分配走査信号ＳＯ１〜ＳＯ５は、制御回路２２からのタイミング信号ＳＣに応答
して、図８に示すように、分配走査信号ＳＯ１から順番に書込時間ｔ１時間第１の電圧と
してのＬレベルになり、最後の分配走査信号ＳＯ５が書込時間ｔ１時間Ｌレベルになった
後、再び分配走査信号ＳＯ１から同じ動作を繰り返す信号である。従って、分配走査信号
ＳＯ１〜ＳＯ５の１つがＬレベルの時、他の４つは必ずＨレベルとなっている。なお、分
配走査信号ＳＯ１〜ＳＯ５がＬレベルからＨレベルに立ち上がったとき、切換時間ｔ２時
間後に次の分配走査信号ＳＯ１〜ＳＯ５がＬレベルに立ち下がるようになっている。また
、本実施形態では、Ｌレベルは「０Ｖ」、Ｈレベルは有機トランジスタＴｒの駆動電圧と
している。
【００４５】
ここで、分配走査信号ＳＯ１が立ち下がって、次に立ち下がるまでの周期を、１サブフ
ィールドという。
５個の分配走査信号ＳＯ１〜ＳＯ５は、２５本の走査線Ｌｙ１〜Ｌｙ２５を上下方向に
連続する５本をそれぞれ１組にした第２の走査線組に対して、その各組のそれぞれの５本
の走査線の中の１つに対応して設けられた信号であって、その対応した各組の走査線に対
して走査線分配回路２３Ｓによって同時にそれぞれ出力される。
【００４６】
詳述すると、図８において、走査線分配回路２３Ｓは、分配走査信号ＳＯ１を、第２の
走査線組を構成する走査線Ｌｙ１〜Ｌｙ５の組（第１組）の走査線Ｌｙ１、第２の走査線
組を構成する走査線Ｌｙ６〜Ｌｙ１０の組（第２組）の走査線Ｌｙ６、第２の走査線組を
構成する走査線Ｌｙ１１〜Ｌｙ１５の組（第３組）の走査線Ｌｙ１１に出力する。また、
走査線分配回路２３Ｓは、分配走査信号ＳＯ１を、第２の走査線組を構成する走査線Ｌｙ
１６〜Ｌｙ２０の組（第４組）の走査線Ｌｙ１６、第２の走査線組を構成する走査線Ｌｙ
２１〜Ｌｙ２５の組（第５組）の走査線Ｌｙ２１に出力する。
【００４７】
さらに、走査線分配回路２３Ｓは、分配走査信号ＳＯ２を、第１組の走査線Ｌｙ２、第
２組の走査線Ｌｙ７、第３組の走査線Ｌｙ１２、第４組の走査線Ｌｙ１７、第５組の走査
線Ｌｙ２２に出力する。
【００４８】
また、走査線分配回路２３Ｓは、分配走査信号ＳＯ３を、第１組の走査線Ｌｙ３、第２
組の走査線Ｌｙ８、第３組の走査線Ｌｙ１３、第４組の走査線Ｌｙ１８、第５組の走査線
Ｌｙ２３に出力する。
【００４９】
さらに、走査線分配回路２３Ｓは、分配走査信号ＳＯ４を、第１組の走査線Ｌｙ４、第
２組の走査線Ｌｙ９、第３組の走査線Ｌｙ１４、第４組の走査線Ｌｙ１９、第５組の走査
線Ｌｙ２４に出力する。
【００５０】
また、走査線分配回路２３Ｓは、分配走査信号ＳＯ５を、第１組の走査線Ｌｙ５、第２
組の走査線Ｌｙ１０、第３組の走査線Ｌｙ１５、第４組の走査線Ｌｙ２０、第５組の走査
線Ｌｙ２５に出力する。
【００５１】
つまり、２５本の走査線Ｌｙ１〜Ｌｙ２５は、４本おきに５本の走査線が同時に選択さ
れるようになっている。
なお、第１組の走査線Ｌｙ１〜Ｌｙ５で選択される各画素２６は、対向基板１３の最も
上の行に配置形成された個別対向電極Ｐ１１〜Ｐ１ｒと対応するようになっている。第２
組の走査線Ｌｙ６〜Ｌｙ１０で選択される各画素２６は、対向基板１３に配置形成された
個別対向電極Ｐ２１〜Ｐ２ｒと対応するようになっている。
【００５２】
また、第３組の走査線Ｌｙ１１〜Ｌｙ１５で選択される各画素２６は、対向基板１３に
配置形成された個別対向電極Ｐ３１〜Ｐ３ｒと対応するようになっている。第４組の走査
線Ｌｙ１６〜Ｌｙ２０で選択される各画素２６は、対向基板１３に配置形成された個別対
向電極Ｐ４１〜Ｐ４ｒと対応するようになっている。第５組の走査線Ｌｙ２１〜Ｌｙ２５
で選択される各画素２６は、対向基板１３に配置形成された個別対向電極Ｐ５１〜Ｐ５ｒ
と対応するようになっている。
【００５３】
データ線駆動回路２４は、ｍ本のデータ線Ｌｘ１〜Ｌｘｍと電気的に接続されている。
データ線駆動回路２４は、ｍ本のデータ線Ｌｘ１〜Ｌｘｍにデータ信号ＶＤ１〜ＶＤｍを
それぞれ出力するようになっている。本実施形態では、データ信号ＶＤ１〜ＶＤｍは、Ｌ
レベルもしくはＨレベルのいずれかの信号から構成されている。
【００５４】
本実施形態では、説明の便宜上、図７に示すように、ｍ個を５個とし、そのデータ信号
ＶＤ１〜ＶＤ５について説明する。５個のデータ信号ＶＤ１〜ＶＤ５に伴い、ｍ本のデー
タ線Ｌｘ１〜Ｌｘｍを、説明の便宜上、５本のデータ線Ｌｘ１〜Ｌｘ５として説明する。
【００５５】
データ線駆動回路２４は、５個のデータ信号ＶＤ１〜ＶＤ５を、図８に示すように、各
分配走査信号ＳＯ１〜ＳＯ５の立下りに応答して、すなわち、制御回路２２からのタイミ
ング信号ＶＤに応答して同時に新たなデータ信号ＶＤ１〜ＶＤ５に切り換えて出力する。
【００５６】
制御回路２２に接続された対向電極選択回路２５は、図６に示すように、電極選択線Ｌ
ｚ１１〜Ｌｚｑｒと電気的に接続されていて、制御回路２２からのタイミング信号ＳＬに
応答して、電極選択信号ＣＯＭ１１〜ＣＯＭｑｒを対応する電極選択線Ｌｚ１１〜Ｌｚｑ
ｒに出力するようになっている。
【００５７】
本実施形態では、説明の便宜上、図７に示すように、個別対向電極Ｐは上下方向に５個
、横方向に１個、計５（＝５×１）個の個別対向電極Ｐ１１〜Ｐ５１とする。従って、５
個の電極選択信号ＣＯＭ１１〜ＣＯＭ５１となる。
【００５８】
電極選択信号ＣＯＭ１１〜ＣＯＭ５１は、制御回路２２からのタイミング信号ＳＬに応
答して、図８に示すように、電極選択信号ＣＯＭ１１から順番に、１サブフィールドの期
間Ｔ１だけＬレベルとなる。そして、最後の電極選択信号ＣＯＭ５１が１サブフィールド
の期間Ｔ１だけＬレベルになると、再び電極選択信号ＣＯＭ１１から同じ動作を繰り返す
信号である。つまり、１サブフィールドを５回続けると、最初の電極選択信号ＣＯＭ１１
から繰り返す。従って、電極選択信号ＣＯＭ１１〜ＣＯＭ５１の１つがＬレベルの時、他
の４つは必ず高インピーダンス（ＨＺ）となっている。
【００５９】
詳述すると、第１サブフィールドＴＦ１では、電極選択信号ＣＯＭ１１が、第２サブフ
ィールドＴＦ２では、電極選択信号ＣＯＭ２１が、第３サブフィールドＴＦ３では、電極
選択信号ＣＯＭ３１が、第４サブフィールドＴＦ４では、電極選択信号ＣＯＭ４１が、第
５サブフィールドＴＦ５では、電極選択信号ＣＯＭ５１が、それぞれＬレベルとなる。
【００６０】
従って、電極選択信号ＣＯＭ１１〜ＣＯＭ５１がＬレベルとなって個別対向電極Ｐ１１
〜Ｐ５１にＬレベルの電圧が印加されている画素２６は、データ信号ＶＤ１〜ＶＤ５が入
力されたとき、画素電極２７にかかるデータ信号ＶＤ１〜ＶＤ５に応じた表示動作が可能
な状態となる。
【００６１】
反対に、電極選択信号ＣＯＭ１１〜ＣＯＭ５１が高インピーダンス（ＨＺ）となって個
別対向電極Ｐ１１〜Ｐ５１が高インピーダンス（ＨＺ）となっている画素２６は、データ
信号ＶＤ１〜ＶＤ５が入力されたとき、画素電極２７にかかるデータ信号ＶＤ１〜ＶＤ５
に応じた表示動作が不可能な状態となる。
【００６２】
その結果、図８に示すように、まず、第１サブフィールドＴＦ１では、個別対向電極Ｐ
１１に対する走査線Ｌｙ１〜Ｌｙ５が選択されると、その時、出力されるデータ信号ＶＤ
１〜ＶＤ５に基づいて、個別対向電極Ｐ１１を共有する画素２６は選択された順に表示動
作を行なう。第２サブフィールドＴＦ２では、個別対向電極Ｐ２１に対する走査線Ｌｙ６
〜Ｌｙ１０が選択されると、その時、出力されるデータ信号ＶＤ１〜ＶＤ５に基づいて、
個別対向電極Ｐ２１を共有する画素２６は選択された順に表示動作を行なう。
【００６３】
第３サブフィールドＴＦ３では、個別対向電極Ｐ３１に対する走査線Ｌｙ１１〜Ｌｙ１
５が選択されると、その時、出力されるデータ信号ＶＤ１〜ＶＤ５に基づいて、個別対向
電極Ｐ３１を共有する画素２６は選択された順に表示動作を行なう。第４サブフィールド
ＴＦ４では、個別対向電極Ｐ４１に対する走査線Ｌｙ１６〜Ｌｙ２０が選択されると、そ
の時、出力されるデータ信号ＶＤ１〜ＶＤ５に基づいて、個別対向電極Ｐ４１を共有する
画素２６は選択された順に表示動作を行なう。
【００６４】
第５サブフィールドＴＦ５では、個別対向電極Ｐ５１に対する走査線Ｌｙ２１〜Ｌｙ２
５が選択されると、その時、出力されるデータ信号ＶＤ１〜ＶＤ５に基づいて、個別対向
電極Ｐ５１を共有する画素２６は選択された順に表示動作を行なう。
【００６５】
以上説明したように、本実施形態にかかる電気泳動表示パネルの駆動方法、及び電気泳
動表示パネルによれば、以下に列記するような効果が得られるようになる。
（１）本実施形態では、１サブフィールド毎にＬレベルとする電極選択信号ＣＯＭ１１
〜ＣＯＭ５１を切り換えて、５個の分配走査信号ＳＯ１〜ＳＯ５と５個のデータ信号ＶＤ
１〜ＶＤ５によって、表示パネル１１に表示動作をさせるようにした。従って、走査線駆
動回路２３は２５本の走査線Ｌｙ１〜Ｌｙ２５がある素子基板１２において、５個の分配
走査信号ＳＯ１〜ＳＯ５だけを出力すれば画像を表示できるようになる。その結果、走査
線の数よりも少ない出力数の走査線駆動回路２３を用いて、つまり、小規模で安価な走査
線駆動回路２３を用いて、表示パネル１１を構成することができる。
【００６６】
（２）すなわち、本実施形態では、合計１２５個の画素２６を表示動作させる場合に、
走査線駆動回路２３は５個の分配走査信号ＳＯ１〜ＳＯ５を、データ線駆動回路２４は５
個のデータ信号ＶＤ１〜ＶＤ５を、対向電極選択回路２５は５個の電極選択信号ＣＯＭ１
１〜ＣＯＭ５１を、すなわち、計１５個の出力をすればよい。従って、従来では、走査線
駆動回路２３は２５個の走査線信号を、データ線駆動回路２４は５個のデータ信号ＶＤ１
〜ＶＤ５を、すなわち、計３０個必要であった出力数を大幅に減少させることができた。
【００６７】
（３）本実施形態では、走査線分配回路２３Ｓを素子基板１２に設けた。従って、素子
基板の形成する際に、５個の分配走査信号ＳＯ１〜ＳＯ５を、走査線Ｌｙ１〜Ｌｙ２５の
配線に分配するための接続配線を形成することができるなど、分配するための配線を容易
に形成することができる。
【００６８】
（４）本実施形態では、電気泳動表示パネル１１の対向基板１３に形成された個別対向
電極Ｐ１１〜Ｐ５１を、電極選択信号ＣＯＭ１１〜ＣＯＭ５１で切り換えて表示動作の可
／不可を切り替えるようにした。従って、従来からのアクティブマトリクス形式の回路を
備える素子基板１２に対しても、この駆動方法を用いることができる。
【００６９】
（５）本実施形態では、電気泳動表示パネル１１に対して、電極選択信号ＣＯＭ１１〜
ＣＯＭ５１でＬレベルと高インピーダンス（ＨＺ）を切り換える、個別対向電極Ｐ１１〜
Ｐ５１を設けた。従って、高速に表示画像を切り替える必要のない電気泳動表示パネル１
１を安価に構成することができる。
【００７０】
（その他の実施形態）
なお、上記実施形態は、例えば以下のような態様にて実施することもできる。
・上記実施形態では、走査線駆動回路２３は５個の分配走査信号ＳＯ１〜ＳＯ５を２５
本の走査線Ｌｙ１〜Ｌｙ２５に分配した。しかし、これに限らず、データ線駆動回路２４
から、データ信号線の数よりも少ない分配走査信号数のデータ信号を第１のデータ線組を
介して出力して、それを第２のデータ線組を構成する各データ信号線に分配してもよい。
例えば、２５本のデータ線Ｌｘ１〜Ｌｘ２５を左右方向に連続する５本をそれぞれ第２の
データ線組としての１組にして、データ線駆動回路２４から分配走査信号数としての５個
の分配データ信号が第１のデータ線組を介して出力されるデータ線組を構成するようにし
てもよい。この場合も、それぞれ５本ごとのデータ線Ｌｘ１，Ｌｘ６，Ｌｘ１１，Ｌｘ１
６，Ｌｘ２１を接続する。同様に、データ線Ｌｘ２から５本ごとのデータ線を接続し、デ
ータ線Ｌｘ３から５本ごとのデータ線を接続し、データ線Ｌｘ４から５本ごとのデータ線
を接続し、データ線Ｌｘ５から５本ごとのデータ線を接続する。そうすれば、データ線駆
動回路２４が出力するデータ信号の数が減ることにより、小規模かつ安価なデータ線駆動
回路２４を用いる事ができるようになる。
【００７１】
また、この場合においても、走査線Ｌｙ１〜Ｌｙ２５の分配と同様に、データ線Ｌｘ１
〜Ｌｘ２５の分配を、データ線分配回路を素子基板１２に設けて行なうと、データ線分配
回路に必要とする領域を比較的確保しやすいとともに、積層配線によるデータ線の分配を
容易にすることができる。
【００７２】
さらに、電気泳動粒子３５の動作に比べて素早いデータ線駆動回路２４によるデータ信
号の切換によれば、個別対向電極を複数切り替える広い表示範囲を有する電気泳動表示パ
ネルに対しての表示動作もスムーズに行なうこともできる。
【００７３】
・上記実施形態では、走査線Ｌｙ１〜Ｌｙ２５を５本毎に１組として、それぞれの組が
各個別対向電極Ｐ１１〜Ｐ５１に対応するようにした。しかし、これに限らず、素子基板
１２と対向基板１３は、走査線Ｌｙ１〜Ｌｙ２５と個別対向電極Ｐとの相対関係が所定の
位置関係より走査線方向に少しだけずれてもよい。
【００７４】
具体的には、図９に示すように、走査線Ｌｙ６が所定の個別対向電極Ｐ２１から走査線
方向に少しずれて個別対向電極Ｐ１１に対応する状態でもよい。
この場合は、図１０に示すように、個別対向電極Ｐ１１を第２サブフィールドＴＦ２の
分配走査信号ＳＯ１が終了するまでＬレベルにしておく。そうすれば、走査線Ｌｙ６が走
査される際に、走査線Ｌｙ６に接続された画素２６がズレによって対応することになった
個別対向電極Ｐ１１がＬレベルに保持されているので、走査線Ｌｙ６に接続された画素２
６は表示動作を行うことができる。そうすれば、素子基板１２と対向基板１３が大型化す
ること等によって、素子基板１２と対向基板１３を所定の位置で貼り合わせることが難し
くても、好適に電気泳動表示パネル１１を駆動することができる。
【００７５】
・上記実施形態では、ｐ型チャンネルの有機トランジスタＴｒについて説明した。しか
し、これに限らず、有機トランジスタの構成は、ｎ型チャンネルやその他の形式の有機ト
ランジスタであってもよい。例えば、ｎ型チャンネルの有機トランジスタＴｒを用いた場
合には、図１１に示すように、画素２６は、個別対向電極Ｐ１１〜Ｐ５１への電極選択信
号ＣＯＭ１１〜ＣＯＭ５１がＨレベルで表示動作を行うことができ、電極選択信号ＣＯＭ
１１〜ＣＯＭ５１が高インピーダンス（ＨＺ）で表示動作を行うことができなきないよう
になる。
【００７６】
・上記実施形態では、Ｌレベルは「０Ｖ」、Ｈレベルは有機トランジスタＴｒの駆動電
圧とした。しかしこれに限らず、Ｌレベル及びＨレベルの各電圧は、有機トランジスタの
特性に合わせて、該有機トランジスタのオン状態とオフ状態とを切り換えることのできる
電位差を有する電圧であればよい。
【００７７】
・上記実施形態では、走査線駆動回路２３から５個の分配走査信号ＳＯ１〜ＳＯ５を出
力した。また、データ線駆動回路２４からは５個のデータ信号ＶＤ１〜ＶＤ５とした。し
かしながら、走査線駆動回路２３から出力される分配走査信号の数、データ線駆動回路２
４から出力されるデータ信号の数はこれらには限られない。
【００７８】
・上記実施形態では、画素２６の表示動作の可／不可を電気泳動表示パネル１１に用い
た。しかし、これに限らず、アクティブマトリクス形式の回路を用いるその他の種類の表
示装置にも用いることができる。
【００７９】
・上記実施形態では、書込時間ｔ１はデータ信号ＶＤ１〜ＶＤ５が定常状態にある時間
であり、切換時間ｔ２はデータ信号ＶＤ１〜ＶＤ５が過渡状態である時間としていた。し
かし、これに限らず、書込時間ｔ１は、前記定常状態の時間よりも短い時間で、切換時間
ｔ２は、前記過渡状態の時間よりも長い時間でもよい。
【００８０】
また、書込時間ｔ１を、前記定常状態の時間においてＬレベル／Ｈレベルを繰り返すよ
うに駆動してもよい。いずれにしても、前記定常状態において、書込時間ｔ１をＬレベル
にする、すなわち有機トランジスタＴｒを駆動する方法を変更することによって、電気泳
動表示パネル１１に所望の態様で画像等を表示することができるようになる。
【００８１】
・上記実施形態では、走査線駆動回路２３は、分配走査信号ＳＯ１から順番に分配走査
信号ＳＯ５まで出力するようにした。しかし、これに限らず、分配走査信号ＳＯ５から順
番に分配走査信号ＳＯ１まで出力する、つまり、走査線Ｌｙ５から走査線Ｌｙ１の方向に
走査するようにしてもよい。
【００８２】
・上記実施形態では、制御回路２２、走査線駆動回路２３、データ線駆動回路２４、及
び、対向電極選択回路２５を素子基板１２上に設けた。しかし、これに限らず、制御回路
２２、走査線駆動回路２３、データ線駆動回路２４、及び、対向電極選択回路２５の少な
くとも１つが、表示パネル１１の外部、例えば、外部接続端子２１に接続されるフレキシ
ブルプリント配線板（ＦＰＣ）に設けられてもよい。
【００８３】
・上記実施形態では、対向電極選択回路２５を素子基板１２上に設けた。しかし、対向
基板１３上に設けられてもよい。
・上記実施形態では、走査線分配回路２３Ｓは、素子基板１２上に設けたが、走査線分
配回路２３Ｓは、走査線駆動回路２３に含まれてもよい。また、走査線駆動回路２３が表
示パネル１１の外部に設けられている場合には、走査線分配回路２３Ｓも表示パネル１１
の外部に設けられてもよい。
【図面の簡単な説明】
【００８４】
【図１】本発明にかかる電気泳動粒子を備えた表示パネルの一実施形態についてその全体平面図。
【図２】同実施形態の表示パネルの断面構造を示す断面図。
【図３】同実施形態の表示パネルの断面構造を示す断面図。
【図４】同実施形態の素子基板の回路構成を示す回路図。
【図５】同実施形態の画素部分の等価回路を示す回路図。
【図６】同実施形態の対向基板の回路構成を示す回路図。
【図７】同実施形態の素子基板と対向基板が対向した場合の電気的構成を示す構成図。
【図８】同実施形態の表示動作を説明するタイムチャート図。
【図９】別例における素子基板と対向基板が対向した場合の電気的構成を示す構成図。
【図１０】前記別例の表示動作を説明するタイムチャート図。
【図１１】その他の別例の表示動作を説明するタイムチャート図。
【符号の説明】
【００８５】
Ｐ…個別対向電極、ＳＣ，ＳＬ，ＶＤ…タイミング信号、Ｔ１…期間、ｔ１…書込時間
、ｔ２…切換時間、Ｔｒ…有機トランジスタ、Ｌｘ１〜Ｌｘｍ，Ｌｘ１〜Ｌｘ２５…デー
タ線、Ｌｙ１〜Ｌｙｎ…走査線、Ｌｙ１〜Ｌｙ５…第１組の走査線、Ｌｙ６〜Ｌｙ１０…
第２組の走査線、Ｌｙ１１〜Ｌｙ１５…第３組の走査線、Ｌｙ１６〜Ｌｙ２０…第４組の
走査線、Ｌｙ２１〜Ｌｙ２５…第５組の走査線、ＳＯ１〜ＳＯ５…分配走査信号、ＴＦ１
…第１サブフィールド、ＴＦ２…第２サブフィールド、ＴＦ３…第３サブフィールド、Ｔ
Ｆ４…第４サブフィールド、ＴＦ５…第５サブフィールド、ＣＯＭ１１〜ＣＯＭｑｒ，Ｃ
ＯＭ１１〜ＣＯＭ５１…電極選択信号、Ｐ１１〜Ｐｑｒ，Ｐ１１〜Ｐ５１…個別対向電極
、ＶＤ１〜ＶＤｍ，ＶＤ１〜ＶＤ５…データ信号、Ｌｚ１１〜Ｌｚｑｒ…電極選択線、１
１…電気泳動表示パネル、１２…素子基板、１３…対向基板、１４…電気泳動表示層、１
５…背面基板、１６…素子形成層、１７…透明基板、１９…バインダ、２０…マイクロカ
プセル、２１…外部接続端子、２２…制御回路、２３…走査線駆動回路、２３Ｓ…走査線
分配回路、２４…データ線駆動回路、２５…対向電極選択回路、２６…画素、２７…画素
電極、３４…電気泳動分散媒、３５…電気泳動粒子、３５ｂ…黒色粒子、３５ｗ…白色粒
子、４２…ソース電極、４３…ドレイン電極、４６…ゲート電極。
【図１】
2009169212.tif 000003
【図２】
2009169212.tif 000004
【図３】
2009169212.tif 000005
【図４】
2009169212.tif 000006
【図５】
2009169212.tif 000007
【図６】
2009169212.tif 000008
【図７】
2009169212.tif 000009
【図８】
2009169212.tif 000010
【図９】
2009169212.tif 000011
【図１０】
2009169212.tif 000012
【図１１】
2009169212.tif 000013